(57)【要約】      （修正有）【課題】火災が発生すると換気路を自動的に閉鎖する防火ダンパーを備えた換気口装置において、関連部品を着脱自在として、点検や復旧の作業性を改善した防火ダンパーを提供する。【解決手段】両端が開口され、外壁設置用のフランジ３が室外側開口部に設けられた筒状のフレーム１と、所定の作動温度に達すると温度ヒューズ１２が溶解してダンパー板９Ａ，９Ｂの保持が解除され、コイルバネ１０の付勢力によりダンパー板９Ａ，９Ｂが支持ピン８回りに回動してフレーム１を閉鎖する防火ダンパー１６とを備えた換気口装置において、防火ダンパー１６のダンパーフレーム７は、フレーム１の室内側開口部に着脱自在に連結されるようにする。【選択図】図１
0003159624.tif 000002
【実用新案登録請求の範囲】
【請求項１】
両端が開口され、外壁設置用のフランジがその一端に設けられた筒状のフレームと、所定の温度に達すると前記フレームを閉鎖する防火ダンパーとを備えた換気口装置において、
前記防火ダンパーは、前記フレームの他端に着脱自在に連結されることを特徴とする換気口装置。
【請求項２】
フレームの他端に防火ダンパーを連結する際の位置決めをするための一対の遊嵌係合部を前記フレームの他端および前記防火ダンパーにそれぞれ備えるとともに、
前記フレームの他端または前記防火ダンパーの周縁部を弾性力により押圧付勢する弾性係合部を前記防火ダンパーまたは前記フレームの他端の少なくともいずれか一方に備えることを特徴とする請求項１記載の換気口装置。
【請求項３】
遊嵌係合部は、フレームの他端および防火ダンパーの周縁部であって、前記フレームおよび前記防火ダンパーの中心軸を含む水平面よりも上側に備えられ、
弾性係合部は、前記フレームの他端または前記防火ダンパーの周縁部であって、前記水平面よりも下側に備えられることを特徴とする請求項２記載の換気口装置。
【請求項４】
遊嵌係合部および弾性係合部は、フレームの他端および防火ダンパーの周縁部であって、その最上部および最下部を除く位置にそれぞれ備えられることを特徴とする請求項２記載の換気口装置。
【請求項５】
遊嵌係合部は、フレームの他端および防火ダンパーの周縁部にそれぞれ備えられ、互いに遊嵌係合する一対の爪と孔とから構成されることを特徴とする請求項２記載の換気口装置。
【請求項６】
爪は、フレームの他端または防火ダンパーの一部を折り曲げて形成されることを特徴とする請求項５記載の換気口装置。
【請求項７】
弾性係合部は、フレームの他端または防火ダンパーの一部に切り込みを入れて折り曲げた板バネとすることを特徴とする請求項２記載の換気口装置。
【考案の詳細な説明】
【技術分野】
【０００１】
この考案は、火災が発生すると換気路を自動的に閉鎖する防火ダンパーを備えた換気口装置の分野に係るものである。
【背景技術】
【０００２】
換気口装置は、建物の壁に設置され、室外から室内までの風道として形成された換気路を通じて、室外の空気と室内の空気とを循環させるためのものである。このことにより、結露やカビの発生・熱気や悪臭の澱みなどを防いで室内の空気を衛生的に保ち、快適な住環境の提供・建物の長寿命化を図ることができる。建物の高気密化・高断熱化が進んでいる現在、換気口装置の必要性はますます高まっている。
【０００３】
この換気口装置には、例えば建築基準法第６４条により、隣の建物と近接するときなど一定の場合に、防火ダンパーの設置が義務づけられている。防火ダンパーは、通常は換気を妨げないように換気路内で保持されているが、火災が発生すると換気路を自動的に閉鎖して遮炎・遮煙機能を発揮し、火災の被害を最小限に食い止める。建物が密集して建てられることの多い我が国では、防火ダンパーは非常に重要な防災設備である。
【０００４】
従来の換気口装置のメーカーは、防火ダンパーの要／不要いずれの場合にも対応すべく、防火ダンパーを備えたものと、防火ダンパーを備えていないものと、２種類の仕様の換気口装置を在庫として用意しておく必要があり、在庫管理上のコストが嵩む要因となっていた。このコストは、換気口装置の本体を共通パーツ化するとともに、防火ダンパーを別パーツ化することにより、軽減することができる。防火ダンパーを別パーツ化した換気口装置としては、例えば次のようなものが開示されている。
【０００５】
図９は従来の換気口装置の構成を示す図であり、特許文献１に開示されている。
図９において、１０１はフレーム、１０２は換気路、１０３はフランジ、１０４はベントキャップ、１０５はネジ止め板、１０６は円板、１０７はダンパーフレーム、１０８は支持ピン、１０９Ａ，１０９Ｂはダンパー板、１１０はコイルバネ、１１１はネジ、１１２は温度ヒューズ、１１３はベントキャップ換気路、１１４は爪、１１６は防火ダンパー、１１７はネジである。
【０００６】
図９の換気口装置では、換気路１０２を室外側から覆うベントキャップ１０４と防火ダンパー１１６とを一体にして構成している。ベントキャップ１０４はフレーム１０１に対して着脱自在なので、防火ダンパー１１６も同様に着脱自在となっている。このように、防火ダンパー１１６が別パーツ化されているので、現場対応が容易になり、在庫管理のコストを軽減できる。また、防火ダンパー１１６が着脱自在なので、防火ダンパー１１６の点検や復旧を行う際の作業性も改善される。
【先行技術文献】
【特許文献】
【０００７】
【特許文献１】特開平７−３９５９６号公報
【考案の概要】
【考案が解決しようとする課題】
【０００８】
従来の換気口装置は以上のように構成されているので、室外側で防火ダンパーを着脱するため、高層ビルの壁に設置された場合には、バルコニーのような場所で脚立に上るなどの危険な作業をしなければならず、防火ダンパーの点検や復旧を行いにくいという課題があった。
【０００９】
この考案は、以上の課題を解決するためになされたものであり、高層ビルの壁に設置された場合であっても、バルコニーのような場所で脚立に上るなどの危険な作業をすることなく、点検や復旧を容易に行うことが可能な換気口装置を提供することを目的とする。
【課題を解決するための手段】
【００１０】
請求項１記載の換気口装置は、両端が開口され、外壁設置用のフランジがその一端に設けられた筒状のフレームと、所定の温度に達すると前記フレームを閉鎖する防火ダンパーとを備えた換気口装置において、前記防火ダンパーは、前記フレームの他端に着脱自在に連結されるようにしたものである。
【００１１】
請求項２記載の換気口装置は、フレームの他端に防火ダンパーを連結する際の位置決めをするための一対の遊嵌係合部を前記フレームの他端および前記防火ダンパーにそれぞれ備えるとともに、前記フレームの他端または前記防火ダンパーの周縁部を弾性力により押圧付勢する弾性係合部を前記防火ダンパーまたは前記フレームの他端の少なくともいずれか一方に備えるようにしたものである。
【００１２】
請求項３記載の換気口装置は、遊嵌係合部は、フレームの他端および防火ダンパーの周縁部であって、前記フレームおよび前記防火ダンパーの中心軸を含む水平面よりも上側に備えられ、弾性係合部は、前記フレームの他端または前記防火ダンパーの周縁部であって、前記水平面よりも下側に備えられるようにしたものである。
【００１３】
請求項４記載の換気口装置は、遊嵌係合部および弾性係合部は、フレームの他端および防火ダンパーの周縁部であって、その最上部および最下部を除く位置にそれぞれ備えられるようにしたものである。
【００１４】
請求項５記載の換気口装置は、遊嵌係合部は、フレームの他端および防火ダンパーの周縁部にそれぞれ備えられ、互いに遊嵌係合する一対の爪と孔とから構成されるようにしたものである。
【００１５】
請求項６記載の換気口装置は、爪は、フレームの他端または防火ダンパーの一部を折り曲げて形成されるようにしたものである。
【００１６】
請求項７記載の換気口装置は、弾性係合部は、フレームの他端または防火ダンパーの一部に切り込みを入れて折り曲げた板バネとするようにしたものである。
【考案の効果】
【００１７】
請求項１記載の換気口装置によれば、両端が開口され、外壁設置用のフランジがその一端に設けられた筒状のフレームと、所定の温度に達すると前記フレームを閉鎖する防火ダンパーとを備えた換気口装置において、前記防火ダンパーは、前記フレームの他端に着脱自在に連結されるようにしたので、室内側開口部にあたるフレームの他端側において防火ダンパーを着脱できるようになり、高層ビルの壁に設置された場合であっても、バルコニーのような場所で脚立に上るなどの危険な作業をすることなく、室内側において防火ダンパーの点検や復旧を容易に行うことができるという効果が得られる。また、ガラリなどの他の構成要素を着脱することなく、防火ダンパーだけを着脱できるため、点検や復旧の際の作業性を改善できるという効果が得られる。さらに、換気口装置の本体と防火ダンパーとを在庫として用意しておけば、防火ダンパーの有無を簡単に仕様変更できるようになり、顧客からの様々な注文に対してもより少ない在庫で素早く対応できるという効果が得られる。
【００１８】
請求項２記載の換気口装置によれば、フレームの他端に防火ダンパーを連結する際の位置決めをするための一対の遊嵌係合部を前記フレームの他端および前記防火ダンパーにそれぞれ備えるとともに、前記フレームの他端または前記防火ダンパーの周縁部を弾性力により押圧付勢する弾性係合部を前記防火ダンパーまたは前記フレームの他端の少なくともいずれか一方に備えるようにしたので、遊嵌係合部および弾性係合部という簡単な構成により防火ダンパーを着脱できるという効果が得られる。
【００１９】
請求項３記載の換気口装置によれば、遊嵌係合部は、フレームの他端および防火ダンパーの周縁部であって、前記フレームおよび前記防火ダンパーの中心軸を含む水平面よりも上側に備えられ、弾性係合部は、前記フレームの他端または前記防火ダンパーの周縁部であって、前記水平面よりも下側に備えられるようにしたので、弾性係合部が外れかかっても、フレームと防火ダンパーとを連結し直す方向に重力が作用するため、フレームと防火ダンパーとの連結を外れにくくすることができるという効果が得られる。
【００２０】
請求項４記載の換気口装置によれば、遊嵌係合部および弾性係合部は、フレームの他端および防火ダンパーの周縁部であって、その最上部および最下部を除く位置にそれぞれ備えられるようにしたので、防火ダンパーの構成の障害となることなく、遊嵌係合部および弾性係合部を形成できるという効果が得られる。
【００２１】
請求項５記載の換気口装置によれば、遊嵌係合部は、フレームの他端および防火ダンパーの周縁部にそれぞれ備えられ、互いに遊嵌係合する一対の爪と孔とから構成されるようにしたので、遊嵌係合部を簡単に形成できるという効果が得られる。
【００２２】
請求項６記載の換気口装置によれば、爪は、フレームの他端または防火ダンパーの一部を折り曲げて形成されるようにしたので、遊嵌係合部を簡単に形成できるという効果が得られる。
【００２３】
請求項７記載の換気口装置によれば、弾性係合部は、フレームの他端または防火ダンパーの一部に切り込みを入れて折り曲げた板バネとするようにしたので、弾性係合部を簡単に形成できるという効果が得られる。
【図面の簡単な説明】
【００２４】
【図１】この考案の実施の形態１による換気口装置の構成を示す図である。
【図２】この考案の実施の形態１による換気口装置の構成を示す図である。
【図３】この考案の実施の形態１による換気口装置の防火ダンパー着脱構成を説明するための図である。
【図４】この考案の実施の形態１による換気口装置の防火ダンパー着脱構成を説明するための図である。
【図５】この考案の実施の形態１による換気口装置の防火ダンパー着脱構成を説明するための図である。
【図６】この考案の実施の形態１による換気口装置の効果を説明するための図である。
【図７】この考案の実施の形態１による換気口装置の防火ダンパー着脱構成の変形例を説明するための図である。
【図８】この考案の実施の形態１による換気口装置の防火ダンパー着脱構成の変形例を説明するための図である。
【図９】従来の換気口装置の構成を示す図である。
【考案を実施するための形態】
【００２５】
以下、図面を参照しつつ、この考案の実施の形態について詳細に説明する。なお、各図面では、同一の構成または相当する構成については同一の符号を付す。
実施の形態１．
図１，図２はこの考案の実施の形態１による換気口装置の構成を示す図である。図１（ａ），図１（ｂ），図１（ｃ）はそれぞれ防火ダンパーを装着する前の換気口装置の正面図、断面図、上面図である。また、図２は防火ダンパーを装着した後の換気口装置の断面図である。
【００２６】
図１，図２において、１は両端に開口部を有する筒状のフレーム、２は室外から室内までの間に形成されたフレーム１の換気路、３はフレーム１の一端である室外側開口部に設けられたフランジ、４はフランジ３に設けられた格子状のガラリである。
【００２７】
また、図１，図２において、７はフレーム１の他端である室内側開口部に対し着脱自在に連結されるダンパーフレーム、８はダンパーフレーム７の内周側に突設された支持ピン、９Ａ，９Ｂは支持ピン８を軸とする２枚のダンパー板、１０はダンパー板９Ａ，９Ｂを付勢するコイルバネ、１２は換気路２が所定の作動温度に達すると溶解する温度ヒューズ、１４は温度ヒューズ１２の爪、１５はダンパー板９Ａ，９Ｂの凹部、１６は防火ダンパーである。
【００２８】
フレーム１はフランジ３をネジ止め等して外壁に設置される。ダンパーフレーム７は、後述するように、フレーム１の室内側開口部に対して着脱自在に連結される。ダンパー板９Ａ，９Ｂは、図１（ｂ）や図２に示すように、ダンパーフレーム７の支持ピン８周りに回動可能に設けられている。
【００２９】
コイルバネ１０は、支持ピン８に巻着され、ダンパー板９Ａ，９Ｂがダンパーフレーム７を閉鎖する方向にダンパー板９Ａ，９Ｂを付勢する。この付勢力に抗うようにダンパー板９Ａ，９Ｂを支持ピン８回りに回動させ、ダンパー板９Ａ，９Ｂの凹部１５に温度ヒューズ１２の爪１４を掛けてダンパー板９Ａ，９Ｂを保持し、換気路２を開放している。
【００３０】
通常の場合、図１，図２の換気口装置は、換気路２を開放しており、ガラリ４により室外からの視線を遮りつつ、ガラリ４および換気路２を介して換気を行う。火災が発生していない場合、その防災性能を維持するため、防火ダンパー１６には定期的な点検が義務づけられている。
【００３１】
一方、火災が発生して換気路２が所定の作動温度に達すると、換気口装置では、温度ヒューズ１２が溶解してダンパー板９Ａ，９Ｂの保持が解除され、コイルバネ１０の付勢力によりダンパー板９Ａ，９Ｂが換気路２を閉鎖し、延焼を防止する。火災が収まった後、温度ヒューズ１２は溶解しており、ダンパー板９Ａ，９Ｂはダンパーフレーム７を閉鎖しているため、防火ダンパー１６を復旧する必要がある。
【００３２】
図１，図２の換気口装置では、フレーム１の室内側開口部に対してダンパーフレーム７を着脱自在に連結しているので、防火ダンパー１６の点検や復旧を行う者は、室内側に居て防火ダンパー１６を換気口装置に着脱することができる。つまり、高層ビルの壁に設置された場合であっても、バルコニーのような場所で脚立に上るなどの危険な作業をすることなく、室内側において、防火ダンパー１６の点検や復旧を容易に行うことが可能となる。
【００３３】
また、ガラリ４などの他の構成要素を着脱することなく、防火ダンパー１６だけを着脱できるため、点検や復旧の際の作業性を改善できる。さらに、共通パーツに相当するフレーム１と別パーツに相当する防火ダンパー１６とを在庫として用意しておけば、防火ダンパー１６の有無を簡単に仕様変更できるようになり、顧客からの様々な注文に対してもより少ない在庫で素早く対応できる。
【００３４】
続いて、フレーム１に対するダンパーフレーム７の着脱構成について具体的に説明する。
図３〜図５はこの考案の実施の形態１による換気口装置の防火ダンパー着脱構成を説明するための図である。図３は防火ダンパー１６を装着する前の換気口装置の斜視図である。また、図４（ａ）は防火ダンパー１６を装着した後の換気口装置の正面図、図４（ｂ）は図４（ａ）のＸ−Ｘ断面おける着脱構成部分の拡大図、図４（ｃ）は図４（ａ）のＹ−Ｙ断面おける着脱構成部分の拡大図である。さらに、図５はフレーム１側から見た防火ダンパー１６の正面図である。
【００３５】
図３〜図５において、１Ａはフレーム１の室内側開口部の一部を内周側に折り曲げて形成した爪（遊嵌係合部）、１Ｂはフレーム１の室内側開口部を内周側に折り返して形成した折り返し部、７Ａは爪１Ａに遊嵌係合するようにダンパーフレーム７の周縁部に形成した孔（遊嵌係合部）、７Ｂはダンパーフレーム７の一部に切り込みを入れて折り曲げた板バネ状の抜け止め金具（弾性係合部）、７Ｓはダンパー板９Ａ，９Ｂのストッパー、ａｘは紙面に垂直なフレーム１やダンパーフレーム７の中心軸、ｈは中心軸ａｘを含む水平面である。
【００３６】
ここでは、フレーム１に対してダンパーフレーム７を挿入嵌合する場合について説明する。フレーム１にダンパーフレーム７を装着するには、まず、図４（ｂ）のように爪１Ａと孔７Ａとを係合させ、フレーム１に対してダンパーフレーム７を挿入嵌合する際の位置決めをする。次に、フレーム１の室内側開口部にダンパーフレーム７を挿入すると、抜け止め金具７Ｂは、折り返し部１Ｂに押されて弾性的に変形し、フレーム１の室内側開口部の内周部を押圧付勢する。
【００３７】
そして、ダンパーフレーム７がフレーム１へ完全に挿入嵌合されると、図４（ｃ）に示すように、抜け止め金具７Ｂが折り返し部１Ｂを乗り越え、フレーム１の室内側開口部の内周部を押圧付勢しつつ、弾性的にやや復元して室内側開口部に引っ掛かるようになり、ダンパーフレーム７がフレーム１から外れにくくなる。ダンパーフレーム７をフレーム１から取り外す場合は、逆の操作になる。このように、爪１Ａ，孔７Ａ，抜け止め金具７Ｂという簡単な構成により、ダンパーフレーム７をフレーム１に対して着脱自在に連結することができる。ここで、折り返し部１Ｂは必須の構成要素ではなく、設計に応じて変更可能である。
【００３８】
また、図５に示すように、防火ダンパー１６の構成上の要請から、ダンパーフレーム７の周縁部の最上部および最下部には支持ピン８やストッパー７Ｓが形成されている。このため、ダンパーフレーム７の周縁部であって、支持ピン８やストッパー７Ｓが形成された最上部および最下部を除く位置に孔７Ａおよび抜け止め金具７Ｂをそれぞれ形成している。このことにより、防火ダンパー１６の構成の障害となることなく、孔７Ａおよび抜け止め金具７Ｂを形成できる。
【００３９】
さらに、図４（ａ）や図５に示すように、水平面ｈよりも上側に爪１Ａおよび孔７Ａを形成し、水平面ｈよりも下側に抜け止め金具７Ｂを形成している。このことにより、次の図６に示すように、何らかの不具合によってフレーム１の室内側開口部から抜け止め金具７Ｂが外れかかった場合でも、ダンパーフレーム７を外れにくくすることができる。
【００４０】
図６はこの考案の実施の形態１による換気口装置の効果を説明するための図であり、フレーム１の室内側開口部からダンパーフレーム７が外れかかった場合での換気口装置の側面図を表している。図６（ａ）と図６（ｂ）とでは、孔７Ａおよび抜け止め金具７Ｂの上下関係を逆転させてある。
【００４１】
図６（ａ）では、水平面ｈより上側に爪１Ａ，孔７Ａがあって、水平面ｈより下側に抜け止め金具７Ｂがあるので、フレーム１の室内側開口部から抜け止め金具７Ｂが外れかかっても、ダンパーフレーム７の重心Ｇにかかる重力が爪１Ａ，孔７Ａの位置周りにダンパーフレーム７をフレーム１の室内側開口部へ戻す方向に作用するため、ダンパーフレーム７を外れにくくすることができる。一方、逆の図６（ｂ）のようにすると、水平面ｈより高い位置に抜け止め金具７Ｂがあるため、ダンパーフレーム７をフレーム１の室内側開口部からさらに外すように重力が作用してしまう。
【００４２】
なお、以上の説明では、フレーム１の室外側開口部にガラリ４を設けているが、この実施の形態１はこれに限定されるものではなく、ガラリ４に代えてベントキャップやフードなどを設けるようにしても良いし、ガラリ４に加えてベントキャップやフードなどを設けるようにしても良く、仕様に応じて設計変更することができる。
【００４３】
また、以上の説明では、支持ピン８，ダンパー板９Ａ，９Ｂ，コイルバネ１０および温度ヒューズ１２をダンパーフレーム７に設けて防火ダンパー１６を構成しているが、この実施の形態１はこれに限定されるものではなく、換気路２が所定の作動温度に達すると換気路２を閉鎖する防火ダンパーであれば良い。
【００４４】
さらに、以上の説明では、爪１Ａをフレーム１に設け、孔７Ａおよび抜け止め金具７Ｂをダンパーフレーム７に設けているが、この実施の形態１はこれに限定されるものではなく、例えば、爪をダンパーフレーム７に設け、孔や抜け止め金具をフレーム１に設けるようにしても良いし、フレーム１やダンパーフレーム７に設ける抜け止め金具の個数を２以上としても良い。
【００４５】
さらに、フレーム１およびダンパーフレーム７の着脱構成は、爪１Ａ，孔７Ａおよび抜け止め金具７Ｂ以外にも変形例が考えられる。例えば、茶筒のように、フレーム１の室内側開口部にダンパーフレーム７を挿入嵌合したときに、両者が接触する部分の面積を大きく取って実現しても良いし、両者にネジ山とネジ溝を形成し、ネジ込み式に挿入嵌合しても良い。さらに、次の図７や図８のような変形例も考えられる。
【００４６】
例えば、図７に示すように、ネジ孔を形成した爪１Ｃ，１Ｄをフレーム１の内周側に突設させ、同様にネジ孔を先端に形成したアーム７Ｃ，７Ｄをダンパーフレーム７に設け、爪１Ｃのネジ孔とアーム７Ｃのネジ孔，爪１Ｄのネジ孔とアーム７Ｄのネジ孔をそれぞれネジ１７Ｃ，１７Ｄによりネジ止めする着脱構成でも良い。
【００４７】
また例えば、図８（ａ），図８（ｂ）に示すように、フレーム１の外周側にフック１Ｅ，１Ｆを設け、一方、ダンパーフレーム７の外周側には、フック１Ｅ，１Ｆと噛み合う案内溝Ｚを形成した受け部材７Ｅ，７Ｆを設け、フック１Ｅと受け部材７Ｅ，フック１Ｆと受け部材７Ｆを案内溝Ｚに噛み合わせて回動固定する着脱構成でも良い。
【００４８】
さらに、以上の説明では、フレーム１に対してダンパーフレーム７を挿入嵌合しているが、この実施の形態１はこれに限定されるものではなく、ダンパーフレーム７に対してフレーム１を挿入嵌合するようにしても良い。さらに、フレーム１およびダンパーフレーム７のうちの一方に対して他方を挿入嵌合する場合に限定されるものではなく、フレーム１の室内側開口部およびダンパーフレーム７の両者を着脱自在に連結できる構造であれば、挿入嵌合以外の構造であっても良い。
【００４９】
以上のように、この実施の形態１によれば、両端が開口され、外壁設置用のフランジ３が室外側開口部に設けられた筒状のフレーム１と、所定の作動温度に達すると温度ヒューズ１２が溶解してダンパー板９Ａ，９Ｂの保持が解除され、コイルバネ１０の付勢力によりダンパー板９Ａ，９Ｂが支持ピン８回りに回動してフレーム１を閉鎖する防火ダンパー１６とを備えた換気口装置において、防火ダンパー１６のダンパーフレーム７は、フレーム１の室内側開口部に着脱自在に連結されるようにしたので、フレーム１の室内側開口部において防火ダンパー１６を着脱できるようになり、高層ビルの壁に設置された場合であっても、バルコニーのような場所で脚立に上るなどの危険な作業をすることなく、室内側において防火ダンパー１６の点検や復旧を容易に行うことができるという効果が得られる。また、ガラリ４などの他の構成要素を着脱することなく、防火ダンパー１６だけを着脱できるため、点検や復旧の際の作業性を改善できるという効果が得られる。さらに、換気口装置の本体と防火ダンパー１６とを在庫として用意しておけば、防火ダンパー１６の有無を簡単に仕様変更できるようになり、顧客からの様々な注文に対してもより少ない在庫で素早く対応できるという効果が得られる。
【００５０】
また、この実施の形態１によれば、フレーム１の室内側開口部と防火ダンパー１６のダンパーフレーム７とを連結する際の位置決めをするための一対の爪１Ａおよび孔７Ａを遊嵌係合部としてフレーム１の室内側開口部およびダンパーフレーム７にそれぞれ備えるとともに、フレーム１の室内側開口部またはダンパーフレーム７の周縁部を弾性力により押圧付勢して連結を保持する抜け止め金具７Ｂを弾性係合部としてダンパーフレーム７またはフレーム１の室内側開口部の少なくともいずれか一方に備えるようにしたので、爪１Ａ，孔７Ａおよび抜け止め金具７Ｂという簡単な構成により防火ダンパー１６を着脱できるという効果が得られる。
【００５１】
さらに、この実施の形態１によれば、爪１Ａおよび孔７Ａは、フレーム１の室内側開口部およびダンパーフレーム７の周縁部であって、フレーム１およびダンパーフレーム７の中心軸ａｘを含む水平面ｈよりも上側に備えられ、抜け止め金具７Ｂは、フレーム１の室内側開口部またはダンパーフレーム７の周縁部であって、水平面ｈよりも下側に備えられるようにしたので、抜け止め金具７Ｂが外れかかっても、フレーム１とダンパーフレーム７とを連結し直す方向に重力が作用するため、フレーム１と防火ダンパー１６との連結を外れにくくすることができるという効果が得られる。
【００５２】
さらに、この実施の形態１によれば、爪１Ａ，孔７Ａおよび抜け止め金具７Ｂは、フレーム１の室内側開口部およびダンパーフレーム７の周縁部であって、支持ピン８が形成された最上部およびストッパー７Ｓや支持ピン８が形成された最下部を除く位置にそれぞれ備えられるようにしたので、防火ダンパー１６の構成であるストッパー７Ｓや支持ピン８の障害となることなく、爪１Ａ，孔７Ａおよび抜け止め金具７Ｂを形成できるという効果が得られる。
【００５３】
さらに、この実施の形態１によれば、フレーム１の室内側開口部およびダンパーフレーム７の周縁部にそれぞれ備えられ、互いに遊嵌係合する一対の爪１Ａと孔７Ａとから遊嵌係合部が構成されるようにしたので、遊嵌係合部を簡単に形成できるという効果が得られる。
【００５４】
さらに、この実施の形態１によれば、爪１Ａは、フレーム１の室内側開口部またはダンパーフレーム７の一部を折り曲げて形成されるようにしたので、遊嵌係合部を簡単に形成できるという効果が得られる。
【００５５】
さらに、この実施の形態１によれば、弾性係合部は、フレーム１の室内側開口部またはダンパーフレーム７の一部に切り込みを入れて折り曲げた板バネ状の抜け止め金具７Ｂとするようにしたので、弾性係合部を簡単に形成できるという効果が得られる。
【符号の説明】
【００５６】
１  フレーム、１Ａ  爪（遊嵌係合部）、１Ｂ  折り返し部、１Ｃ，１Ｄ  爪、１Ｅ，１Ｆ  フック、２  換気路、３  フランジ、４  ガラリ、７  ダンパーフレーム、７Ａ  孔（遊嵌係合部）、７Ｂ  抜け止め金具（弾性係合部）、７Ｃ，７Ｄ  アーム、７Ｅ，７Ｆ  フック、７Ｓ  ストッパー、８  支持ピン、ｈ  水平面、９Ａ，９Ｂ  ダンパー板、１０  コイルバネ、１２  温度ヒューズ、１４  爪、１５  凹部、１６  防火ダンパー、１７Ｃ，１７Ｄ  ネジ。
【図１】
0003159624.tif 000003
【図２】
0003159624.tif 000004
【図３】
0003159624.tif 000005
【図４】
0003159624.tif 000006
【図５】
0003159624.tif 000007
【図６】
0003159624.tif 000008
【図７】
0003159624.tif 000009
【図８】
0003159624.tif 000010
【図９】
0003159624.tif 000011